(57)【要約】【課題】既存のガイド車に容易に搭載する。【解決手段】ガイド車に搭載され窯出し側の窯口に対して進退可能なヘッド５、及びヘッド５に上下動可能に支持されヘッド５の先端側で窯口４の炉蓋を掛止可能なフック７を有する炉蓋着脱機構３と、フック７で掛止可能な掛止板８と、掛止板８の下端に窯口４に対して傾動可能に軸支され窯口４に対する後端側が開放されたスコップ９と、このスコップ９の後端側を係止することにより、フック８によって掛止板８が上昇するときにスコップ９を後端側が下方に傾斜するように傾動させるストッパ１０とを備え、炉蓋の着脱と同様の動作つまりヘッド５の進退及びフック７の上下動によってコークスの掻き出しを行う。【選択図】図１
2006124539.tif 000002
【特許請求の範囲】
【請求項１】
窯出し側でコークスを掻き出すコークス掻き出し装置において、
ガイド車に搭載され窯出し側の窯口に対して進退可能なヘッド、及び該ヘッドに上下動可能に支持され当該ヘッドの先端側で前記窯口の炉蓋を掛止可能なフックを有し、前記ヘッドの進退及び前記フックの上下動によって前記炉蓋の着脱を行う炉蓋着脱機構と、
前記フックに掛止可能な掛止板と、該掛止板の下端に前記窯口に対して傾動可能に軸支され当該窯口に対する後端側が開放されたスコップと、該スコップの後端側を係止することにより、前記フックによって前記掛止板が上昇するほど当該スコップを後端側が下方に傾斜するように傾動させるストッパとを備え、
前記ヘッドの進退及び前記フックの上下動によって前記コークスの掻き出しを行うことを特徴とするコークス掻き出し装置。
【請求項２】
前記スコップ後端側の下方に、チェーンコンベヤを配設することを特徴とする請求項１に記載のコークス掻き出し装置。
【請求項３】
前記コークスの非掻き出し時に、前記スコップを垂直状態に保持する保持具を備えることを特徴とする請求項１又は２に記載のコークス掻き出し装置。
【請求項４】
前記掛止板を、防熱板で構成することを特徴とする請求項１〜３の何れか一項に記載のコークス掻き出し装置。
【発明の詳細な説明】
【技術分野】
【０００１】
本発明は、コークスが詰まって押出機による窯出しができなくなったときに、窯出し側でコークスを掻き出すコークス掻き出し装置に関するものである。
【背景技術】
【０００２】
手作業によるコークスの掻き出しでは、安全性や作業効率が低いため、押出機のラムに傾動可能なスコップを装着し、ラムの進退とスコップの傾動とによってコークスを掻き出すことが提案されていた（特許文献１、２参照）。
【特許文献１】実公平５−４３０８３号公報
【特許文献２】実公昭５７−４６３４１号公報
【発明の開示】
【発明が解決しようとする課題】
【０００３】
上記の特許文献１、２に記載されている従来例では、何れも押出機側でコークスを掻き出しているが、コークスの掻き出しは、押出機側と反対の窯出し側で必要になることもあるので、押出機側と同様の技術思想を、窯出し側のガイド車にも適用することが考えられる。しかしながら、元々、炉内のコークスに対して進退自在のラムを有し、且つスコップを装着するための十分なスペースを確保できる押出機側とは異なり、炉蓋の着脱や窯出しされるコークスの案内を行う窯出し側のガイド車に、コークスを掻き出す機構を新たに追加するのは、レイアウト上の制約が多く容易ではない。
そこで、本発明は上記の問題に着目してなされたものであり、既存のガイド車に容易に搭載でき、窯出し側でコークスを掻き出すことができるコークス掻き出し装置の提供を課題としている。
【課題を解決するための手段】
【０００４】
上記課題を解決するために、本発明の請求項１に係るコークス掻き出し装置は、窯出し側でコークスを掻き出すコークス掻き出し装置において、
ガイド車に搭載され窯出し側の窯口に対して進退可能なヘッド、及び該ヘッドに上下動可能に支持され当該ヘッドの先端側で前記窯口の炉蓋を掛止可能なフックを有し、前記ヘッドの進退及び前記フックの上下動によって前記炉蓋の着脱を行う炉蓋着脱機構と、
前記フックに掛止可能な掛止板と、該掛止板の下端に前記窯口に対して傾動可能に軸支され当該窯口に対する後端側が開放されたスコップと、該スコップの後端側を係止することにより、前記フックによって前記掛止板が上昇するほど当該スコップを後端側が下方に傾斜するように傾動させるストッパとを備え、
前記ヘッドの進退及び前記フックの上下動によって前記コークスの掻き出しを行うことを特徴とする。
【０００５】
すなわち、フックに掛止させた掛止板が下方の初期位置にあり、スコップが水平に維持されている状態でヘッドを窯口に対して前進させて、窯出し側のコークスにスコップを挿入する。そして、ヘッドを後退させてコークスを掬い出し、フックを上方に移動させることでスコップの後端側を下方に傾斜させて、スコップの後端側からコークスを所定箇所に放出することによりコークスの掻き出しを行う。
【０００６】
また、本発明の請求項２に係るコークス掻き出し装置は、請求項１に係るコークス掻き出し装置において、前記スコップ後端側の下方に、チェーンコンベヤを配設することを特徴とする。
また、本発明の請求項３に係るコークス掻き出し装置は、請求項１又は２に係るコークス掻き出し装置において、前記コークスの非掻き出し時に、前記スコップを垂直状態に保持する保持具を備えることを特徴とする。
また、本発明の請求項４に係るコークス掻き出し装置は、請求項１〜３の何れか一項に係るコークス掻き出し装置において、前記掛止板を、防熱板で構成することを特徴とする。
【発明の効果】
【０００７】
本発明の請求項１に係るコークス掻き出し装置によれば、上記の掛止板、スコップ、及びストッパを備えることにより、炉蓋の着脱と同様の動作つまりヘッドの進退とフックの上下動とによってコークスを掻き出すことができるので、その作動スペースも増大することがなく、炉蓋着脱機構を有する既存のガイド車に、掛止板、スコップ、及びストッパを容易に搭載することができる。
【０００８】
また、請求項２に係るコークス掻き出し装置によれば、スコップ後端側の下方に、チェーンコンベヤを配設することにより、掻き出したコークスを回収するために、水平、垂直、傾斜など任意の搬送形状をとることができ、一般的なシュートを設けるよりもレイアウトの自由度が増す。
また、本発明の請求項３に係るコークス掻き出し装置によれば、コークスの非掻き出し時に、スコップを垂直状態に保持する保持具を備えることにより、コークス掻き出しの開始前、或いは終了後に、コンパクト化することができる。
また、本発明の請求項４に係るコークス掻き出し装置によれば、掛止板を、防熱板で構成することにより、ヘッドやフック等、ガイド車の各種設備を焼損から保護することができる。
【発明を実施するための最良の形態】
【０００９】
以下、本発明を実施するための最良の形態を図面に基づいて説明する。
図１は、コークス１が詰まって押出機による窯出しができなくなったときに、窯出し側でコークスを掻き出すコークス掻き出し装置２の概略構成図である。
コークス掻き出し装置２は、ガイド車（図示省略）の炉蓋着脱機構３に装着される。ここで、炉蓋着脱機構３は、図２に示すように、窯口４に対して進退可能なヘッド５と、ヘッド５に上下動可能に支持されヘッド４の先端側で炉蓋６を掛止可能な上下一対のフック７とで構成されている。炉蓋６には、水平方向の吊上げ軸６ａが上下に配設されており、炉蓋着脱機構３のフック７は、この吊上げ軸６ａを下方から掛止可能な略鉤状に形成されている。したがって、炉蓋着脱機構３は、ヘッド５を前進させてフック７を吊上げ軸６ａの直下に進入させ、このフック７を上方に移動させることで吊上げ軸６を掛止して炉蓋６を吊上げ、そしてヘッド４を後退させて炉蓋６を窯口４から取外す。なお、窯口４へ炉蓋６を取付けるときには、取外すときと逆の動作を行う。
【００１０】
そして、コークス掻き出し装置２は、図１に示すように、フック７に掛止可能な掛止板８と、掛止板８の下端に窯口４に対して傾動可能に軸支され窯口４に対する後端側が開放されたスコップ９と、ヘッド５の下端側に取付けられスコップ９の後端側を係止することによりフック７によって掛止板８が上昇するほどスコップ９を後端側が下方に傾斜するように傾動させるストッパ１０と、コークスの非掻き出し時に掛止板８の幅方向縁部とスコップ９の前端側とを連結して、スコップ９を垂直状態に保持する保持具１１と、ガイド車側に固定されると共にスコップ９の後端側の下方に配設されたチェーンコンベヤ１２と、を備えている。
【００１１】
掛止板８には、前述した炉蓋６と同様に、水平方向の吊上げ軸８ａが上下に配設されており、炉蓋着脱機構３のフック７は、この吊上げ軸８ａを下方から掛止する。また、掛止板８は、約１０００度もの高温に耐え得る防熱板で構成され、例えば炉蓋６のシールプレート部を用いる。
スコップ９は、その重心が軸支位置よりも前になるように、すなわち後端側がストッパ１０に掛止されないと自重によって前傾するように構成されている。また、スコップ９は、炉蓋着脱機構３のヘッド５が後退位置にある状態で、保持具１１によって垂直状態に保持されたときに、コークス炉の外壁面までの間に収まるような厚みに設定されている。
【００１２】
ここで、コークス掻き出し装置２は、図３（ａ）に示すように、フック７に掛止させた掛止板８が下方の初期位置にあり、スコップ９が水平に維持されている状態でヘッド５を窯口４に対して前進させて、窯出し側のコークス１にスコップ９を挿入する。そして、ヘッド５を後退させてコークスを掬い出し、図３（ｂ）に示すように、フック７を上方に移動させることでスコップ９の後端側を下方に傾斜させて、スコップ９の後端側からコークスを放出し、チェーンコンベヤ１２によって所定箇所まで搬送することによりコークスの掻き出しを行う。
【００１３】
次に、本発明の作用効果について説明する。
今、炭化室の炉壁に付着したカーボンの量が多くなる等してコークスが詰まり、押出機による窯出しができなくなったとする。このとき、一体化された掛止板８及びスコップ９を炉蓋着脱機構３に装着し、前述したようにヘッド５の進退とフック７の上下動とによって、窯出し側のコークスを掻き出す。このように、上記の掛止板８、スコップ９、及びストッパ１０を備えることにより、炉蓋６の着脱と同様の動作でコークスを掻き出すことができるので、その作動スペースも増大することがなく、炉蓋着脱機構３を有する既存のガイド車に、掛止板８、スコップ９、及びストッパ１０を容易に搭載することができる。
【００１４】
また、コークス掻き出し装置２は、スコップ９の後端側の下方に、チェーンコンベヤ１２を配設したことにより、掻き出したコークスを回収するために、水平、垂直、傾斜など任意の搬送形状をとることができ、一般的なシュートを設けるよりもレイアウトの自由度が増す。
また、コークス掻き出し装置２は、コークスの非掻き出し時にスコップ９を垂直状態に保持する保持具１１を備えたことにより、コークス掻き出しの開始前、或いは終了後に、コンパクト化することができる。
【００１５】
また、コークス掻き出し装置２の掛止板８を、防熱板で構成することにより、ヘッド５やフック７等、ガイド車の各種設備を焼損から保護することができる。
なお、上記の一実施形態では、ストッパ１０をヘッド５に取付けているが、これに限定されるものではなく、要は、スコップ９の後端側を係止し、フック７の上下動に応じてスコップ９の傾斜度合を調節できればよいので、このストッパ１０をガイド車側に取付けてもよい。
【図面の簡単な説明】
【００１６】
【図１】コークス掻き出し装置の概略構成図である。
【図２】炉蓋着脱機構の概略構成図である。
【図３】コークスの掻き出し動作を説明する図である。
【符号の説明】
【００１７】
１  コークス
２  コークス掻き出し装置
３  炉蓋着脱機構
４  窯口
５  ヘッド
６  炉蓋
７  フック
８  掛止板
９  スコップ
１０  ストッパ
１１  保持具
１２  チェーンコンベヤ
【図１】
2006124539.tif 000003
【図２】
2006124539.tif 000004
【図３】
2006124539.tif 000005